(57)【要約】【課題】天井（庇）と床の間や天井と家具の間に立設される支柱の端部に取り付けられる長さ調節部品として、手動で操作することにより長さを調節することができ、かつ支柱としてパイプ材が使用できる長さ調節部品を提供することを目的とする。【解決手段】長さ調整部品は、当接部材を端部に有し雄ネジ溝が形成されたネジ桿と、底部の中心部をネジ桿が貫通してネジ桿に固定された有底の筒状部材と、中心部に雌ネジ溝が形成された孔を有し、裏面に管状突部が形成された円板状部材とからなるか、あるいは当接部材を端部に有し雄ネジ溝が形成されたネジ桿と、底部の中心部をネジ桿が貫通してネジ桿に固定された第１の有底の筒状部材と、底部の中心部に雌ネジ溝が形成された孔を有する第２の有底の筒状部材とからなり、パイプ材の先端部に取り付けて使用される。【選択図】図２
2020084537.tif 000002
【特許請求の範囲】
【請求項１】
当接部材を先端部に備え雄ネジ溝が形成されたネジ桿と、底部の中心部をネジ桿が貫通してネジ桿に固定された有底の筒状部材と、中心部に雌ネジ溝が形成された孔を有する円板状部材とからなり、該円板状部材がパイプ材の先端部に配置される長さ調整部品であって、
円板状部材の外径は、パイプ材の外径と等しく、かつ有底の筒状部材の筒部の内径より小さく、円板状部材の裏面にはパイプ材の先端部に嵌合する円環状突部が形成され、
円環状突部は、中心孔がネジ桿を挿通することができ、かつネジ桿の回動を妨げない径を有し、
円板状部材の雌ネジ溝が形成された孔にはネジ桿が螺合して挿入され、当接部材を上にしたときに、有底の筒状部材は、その開口側が下向きになるように、当接部材の下に配置されるとともに、円板状部材は、有底の筒状部材の固定位置より下に配置されることを特徴とする長さ調整部品。
【請求項２】
当接部材を先端部に備え雄ネジ溝が形成されたネジ桿と、底部の中心部をネジ桿が貫通してネジ桿に固定された第１の有底の筒状部材と、底部の中心部に雌ネジ溝が形成された孔を有する第２の有底の筒状部材とからなり、該第２の有底の筒状部材がパイプ材の先端部に被せられる長さ調節部品であって、
第２の有底の筒状部材は、筒部の内径がパイプ材の外径より大きく、かつ筒部の外径が第１の有底の筒状部材の筒部の内径より小さく、
第２の有底の筒状部材の雌ネジ溝が形成された孔にはネジ桿が螺合して挿入され、当接部材を上にしたときに、第１の有底の筒状部材は、その開口側が下向きになるように、当接部材の下に配置されるとともに、第２の有底の筒状部材は、その開口側が下向きになるように、第１の有底の筒状部材の固定位置より下に配置されることを特徴とする長さ調整部品。
【請求項３】
前記円板状部材の中心部に形成された孔の雌ネジ溝がナットの雌ネジ溝であることを特徴とする請求項１に記載の長さ調整部品。
【請求項４】
前記第２の有底の筒状部材の中心部に形成された孔の雌ネジ溝がナットの雌ネジ溝であることを特徴とする請求項２に記載の長さ調整部品。
【発明の詳細な説明】
【技術分野】
【０００１】
本発明は、パイプ材に取り付けられる長さ調整部品に関する。
【背景技術】
【０００２】
たんす、本棚、食器棚、ロッカーなどの家具の上面と家具の置かれた部屋の天井との間に長さ調整部品を取り付けた支柱を突っ張り状態で立設して、家具の転倒を防止する家具の転倒防止器具が知られている〔図６（ａ）参照〕。また、長さ調整部品を取り付けた支柱を、天井と床の間に突っ張り状態で架設してポールハンガーの支柱に使用したり〔図６（ｂ）参照〕、壁と壁との間に突っ張り状態で横架して簡易棚を形成する梁に使用したりすることが知られている〔なお、図６に示されるものでは、支柱の下端には滑り止め部材が設けられている（図面番号なし）〕。
【０００３】
図７に示す特許文献１に記載された家具の転倒防止器具では、支柱としての筒体６の上端部の筒部内面に雌ネジ溝を形成し、この雌ネジ溝と螺合する雄ネジ溝が外周部に形成されたネジ桿８をこの筒体６に挿入した家具転倒防止器具が示されている。そして、ネジ桿８の上端部には天井に当接する当接板８１が取り付けられており、家具の上面と天井の下面との間にこの器具を設置し、ネジ桿８の中程に設けられたナット状部材８２を回転させることにより、ネジ桿８２とともに当接部材８２を上昇させて、天井を押圧した状態で立設することにより、家具の転倒を防止することができる。
【０００４】
上記の家具転倒防止器具では、支柱としての筒体６に取り付けられた長さ調節部品は、先端部に当接部材８１が取り付けられたネジ桿８からなるが、当接部材８１を上昇あるいは下降させるためにネジ桿８の中程に固定されたナット状部８２を回動させて、ネジ桿を上昇あるいは下降させている。このナット状部材８２を回動させるためには、手動では困難であり、スパナなどの専用の器具を必要とする。また、ネジ桿８が挿入される支柱としての筒体６は、筒部の内面に雌ネジ溝を形成する必要から、支柱にパイプ材を使用した場合、雌ネジ溝を形成する加工工程が必要となる。
【０００５】
ところで、近年、テラスなどの屋外にサンルームを設けることが流行している。一方、パイプ材からなる空間形成用の骨組み構造体に透光性の樹脂膜で覆い、これをテラスに設置してサンルーム等として利用することが考えられている。図８に示すように、骨組み構造体４００の四隅には支柱としてパイプ材を使用することができるから、屋外に張り出す庇２００の下に骨組み構造体４００の少なくとも２本のパイプ材が位置するように、骨組み構造体を配置して、その２本のパイプ材１００を、その先端部（図８では○印で示されている）に長さ調節部品を取り付けて、建屋の庇２００とテラスの床３００の間にパイプ材１００を堅固に立設すれば、テラスなどの屋外に、骨組み構造体に覆いを掛けて作られたサンルームなどをテラスなどの屋外に設置することが可能である。なお、図８に示されるものでは、パイプ材１００の下端には滑り止め部材が設けられている（図面番号なし）。
しかし、骨組み構造体の支柱のパイプ材１００を建屋の天井（庇）２００とテラスなどの床３００の間に堅固に立設する適当な長さ調節部品がなかった。なお、空間形成用の骨組み構造体の一例については特許文献２を参照されたい。
【先行技術文献】
【特許文献】
【０００６】
特許文献１：実用新案登録第３０１４９４０号公報
特許文献２：特許第５８４６５９３号公報
【発明の概要】
【発明が解決しようとする課題】
【０００７】
本発明は、以上のような事情に鑑み、支柱の先端部に取り付けられる長さ調節部品として、手動で操作することにより長さを調節することができ、かつ格別の加工を施すことなく支柱としてパイプ材を使用することができる長さ調節部品を提供することを目的とするものである。
【課題を解決するための手段】
【０００８】
上記の課題を解決するために、本発明は以下の手段を採用する。
［１］当接部材を先端部に備え雄ネジ溝が形成されたネジ桿と、底部の中心部をネジ桿が貫通してネジ桿に固定された有底の筒状部材と、中心部に雌ネジ溝が形成された孔を有する円板状部材とからなり、該円板状部材がパイプ材の先端部に配置される長さ調整部品であって、円板状部材の外径は、パイプ材の外径と等しく、かつ有底の筒状部材の筒部の内径より小さく、円板状部材の裏面にはパイプ材の先端部に嵌合する円環状突部が形成され、円環状突部は、中心孔がネジ桿を挿通することができ、かつネジ桿の回動を妨げない径を有し、円板状部材の雌ネジ溝が形成された孔にはネジ桿が螺合して挿入され、当接部材を上にしたときに、有底の筒状部材は、その開口側が下向きになるように、当接部材の下に配置されるとともに、円板状部材は、有底の筒状部材の固定位置より下に配置されることを特徴とする長さ調整部品。
［２］当接部材を先端部に備え雄ネジ溝が形成されたネジ桿と、底部の中心部をネジ桿が貫通してネジ桿に固定された第１の有底の筒状部材と、底部の中心部に雌ネジ溝が形成された孔を有する第２の有底の筒状部材とからなり、該第２の有底の筒状部材がパイプ材の先端部に被せられる長さ調節部品であって、第２の有底の筒状部材は、筒部の内径がパイプ材の外径より大きく、かつ筒部の外径が第１の有底の筒状部材の筒部の内径より小さく、第２の有底の筒状部材の雌ネジ溝が形成された孔にはネジ桿が螺合して挿入され、当接部材を上にしたときに、第１の有底の筒状部材は、その開口側が下向きになるように、当接部材の下に配置されるとともに、第２の有底の筒状部材は、その開口側が下向きになるように、第１の有底の筒状部材の固定位置より下に配置されることを特徴とする長さ調整部品。
［３］前記円板状部材の中心部に形成された孔の雌ネジ溝がナットの雌ネジ溝であることを特徴とする［１］に記載の長さ調整部品。
［４］前記第２の有底の筒状部材の中心部に形成された孔の雌ネジ溝がナットの雌ネジ溝であることを特徴とする［２］に記載の長さ調整部品。
【発明の効果】
【０００９】
本発明の長さ調節部品は、パイプ材に取り付け、ネジ桿に固定された有底の筒状部材を手動で回動させることによりネジ桿および当接部材を上昇あるいは下降させることができるから、長さ調節部品が取り付けられたパイプ材は、例えば、部屋の天井と家具あるいは床との間や屋内の天井と床との間、屋外の庇とテラスなどの間、壁と壁との間などに、堅固に立設または横架することが容易に行うことができる。また、堅固に立設または横架された長さ調節部品が取り付けられたパイプ材を取り外すことも、パイプ材から長さ調節部品を取り外すことも、容易に行うことができる。
【図面の簡単な説明】
【００１０】
【図１】本発明の第１の実施形態の断面図を示す（当接部材が天井に接している）。
【図２】本発明の第１の実施形態の断面図を示す（当接部材が天井から最も離れた位置にある）。
【図３】本発明の第２の実施形態の断面図を示す（当接部材が天井に接している）。
【図４】本発明の第２の実施形態の断面図を示す（当接部材が天井から最も離れた位置にある）。
【図５】ネジ桿に取り付けられた当接部材を示す。
【図６】（ａ）天井と家具の間に立設された長さ調節部品付きの支柱および（ｂ）天井と床の間に立設された長さ調節部品付きの支柱をそれぞれ示す。
【図７】従来例における支柱（筒体）に取り付けられた長さ調節部品の斜視図を示す。
【図８】屋外のベランダなどに設置された骨組み構造体を示す。（ａ）は模式的な斜視図、（ｂ）は模式的な側面図を示す。
【発明を実施するための形態】
【００１１】
本発明の長さ調節部品の第１および第２の実施形態を図面に基づいて説明する。ここでは、天井と床の間に長さ調節部品が取り付けられたパイプ材を立設する場合を想定する。
図１および図２には、天井２００と床３００の間に立設された第１の実施形態の長さ調節部品１が取り付けられたパイプ材１００が示されている。
２はネジ桿、３は当接部材、４は有底の筒状部材、５は円板状部材である。なお、以下において、有底の筒状部材を単に「筒状部材」ということにする。
長さ調節部品１は、ネジ桿２、当接部材３、筒状部材４および円板状部材５で構成されている。円板状部材５は、後述するように、パイプ材１００の先端部に配置される。
【００１２】
ネジ桿２は、外周部に雄ネジ溝が形成されている。これについては後述する。
ネジ桿２の先端部には当接部材３が取り付けられている。
当接部材３は、天井２００に当接する部材であって、基板３１と緩衝部材３２からなり、天井２００に接する面には、例えばゴム板やシリコーン板などの緩衝部となる緩衝部材３２を取り付ける。こうすることで、当接部材３が天井２００を押圧したときに、天井２００を傷めることなく、また、当接部材３の横ずれを防止することができる。当接部材３の形状は円形でもよいし方形でもよい。
【００１３】
当接部材３は、ネジ桿２の回動とは切り離されており、ネジ桿２が回動しても、当接部材３が回動しないようになっている。また、当接部材３は、ネジ桿２の軸方向にほとんど動かないように取り付けるか、あるいはネジ桿２の軸方向にはわずかに動くように取り付ける。
【００１４】
当接部材３をネジ桿２に取り付けるには、例えば図５に示すように、ネジ桿２の一方の端部の軸径を他の部位の軸径よりも細径にして、この細径の径よりもやや大きい貫通孔を中心部に設けた当接部材３の基板３１をこの細径の部分に装着した後にネジ桿２の端部の頭を潰すなどして、当接部材３がネジ桿２から抜けないようにすればよい。また、上記細径の部位の長さを当接材の基板の厚みよりも少し大きくして、当接部材３の基板３１（したがって当接部材３）をネジ桿２に軸周りで傾斜できるようにすることもできる。
当接部材３の基板３１の貫通孔から突出するネジ桿２の頭部の突出量は緩衝部材３２の収縮により吸収できる程度に小さくする。
当接部材３の面が傾斜できるようにネジ桿２に取り付けた場合は、天井が傾斜していても、より適切に当接することができる。
【００１５】
また、当接部材３の基板３１は、緩衝部材３２を受けいれる凹部を形成するために周縁部を少し高くしてもよい。この場合、当接部材３を天井２００に押し付けたとき、この周縁部ではなく、緩衝部材３２が天井２００に接するようにしなければならない。
【００１６】
筒状部材４は、底部を有しており、形状がコップ状である。そして、筒部の内径は円板状部材５の外径より大きい。
筒状部材４の筒部の外径は、人の片手あるいは両手で把持できる程度の太さであり、工具を使用することなく手を使って筒状部材４を回動することができる程度とする。したがって、筒状部材４の筒部の太さは、おおよそ３０〜５０ｍｍ前後とすることが望ましい。
【００１７】
筒状部材４は、以下に示すように、ネジ桿２に固定されている。
図１、図２から分かるように、当接部材３を上にしたときに、筒状部材４は、当接部材３より下の位置で、筒状部材４の底部の中心部をネジ桿２が貫通し、かつ筒状部材４の筒状部の開口側が下向きになるように配置された状態で固定されている。
【００１８】
筒状部材４はネジ桿２に固定されているから、筒状部材４を回動（正回転又は逆回転）させると、それにともなってネジ桿２が回動する。筒状部材４を片手あるいは両手で把持して、作業者は手動で筒状部材４を容易に回動させることが可能である。
ネジ桿２は、ネジ桿２の先端部に取り付けられた当接部材３を上にしたときに、筒状部材４が固定されている位置よりも下の部位に雄ネジ溝を形成すればよいが、当接部材３と筒状部材４との間の部位に雄ネジ溝が形成されていても差し支えない。
【００１９】
円板状部材５は、その外径がパイプ材１００の外径と同じであり、かつ有底の筒状部材４の筒部の内径より小さい。そして、円板状部材５の中心部には、ネジ桿２の雄ネジ溝と螺合する雌ネジ溝が形成された貫通孔が設けられている。この貫通孔にネジ桿２を挿入すると、ネジ桿２と円板状部材５とは螺合した状態にできる。
【００２０】
円板状部材５の雌ネジ溝の形成にはナット５１を利用することができ、図１には、中心部の貫通孔を有する円板にナット５１を溶接などで接合して製作された円板状部材５が示されている。この場合、ナット５１に雌ネジ溝が形成されているから、ナット５１の下の貫通孔には雌ネジ溝を必ずしも形成する必要はない。ナット５１を利用すると、円板状部材５の中心部に容易に雌ネジ溝を形成することができる。
【００２１】
円板状部材５の裏面にはパイプ材１００の先端部に嵌合する円環状突部５２が形成されている。円環状突部５２の中心孔は、ネジ桿２を挿通することができ、かつネジ桿２の回動を妨げない径を有している。
円環状突部５２をパイプ材１００の先端部に嵌合するようにするには、例えば、円環状突部５２の外径をパイプ材１００の内径と等しくするか、円環状突部５２の上面（当接部材３側の面）の外径をパイプ材の内径よりもやや大きくし、円環状突部５２の下面（パイプ材１００側の面）に向かうにつれて円環状突部５２を先細状にすればよい。
したがって、円板状部材５を、パイプ材１００の先端部に、円板状部材５の中心とパイプ材１００の断面の中心とが重なるように配置すると、図１、図２に示すように、円板状部材５を円還状突部５２がパイプ材１００の先端部に嵌合した状態で取り付けることができる。
なお、ここでの嵌合は、後述するように、筒状部材４の回動にともなうネジ桿２の回動にともなって、円板状部材５が回動しないようにするためのものであり、きつく嵌合する必要はない。
【００２２】
円板状部材５は、例えば、円板の部材の中心部に穿設した貫通孔に雌ネジを形成し、次いで、円環状突部をその裏面に溶接か接着材などにより接合し円還状突部５２を形成して製作することができる。
また、円板状部材５の雌ネジ溝の形成にナット５１を利用する場合は、中心部に貫通孔を形成した円板にナット５１を溶接や接着材により接合するなどして円板状部材５を製作することができる。
【００２３】
円板状部材５は、図１、図２から分かるように、当接部材３を上にしたときに、ネジ桿２において、筒状部材４が固定されている位置よりも下の位置に配置されるとともに、ネジ桿２の雄ネジ溝と円板状部材５の貫通孔の雌ネジ溝とが螺号した状態にあるとき、円板状部材５と該部材５が取り付けられたパイプ材１００の先端部とそれに続く端部が筒状部材４の筒部内に進入するようにする。
【００２４】
ネジ桿２には、当接部材３を上にしたときに、筒状部材４を回動させると、それにともなってネジ桿２が回動し、ネジ桿２は円板状部材５の貫通孔内を上昇あるいは下降することになる。ネジ桿２が上昇あるいは下降すると同時にネジ桿２に取り付けられている当接部材３も上昇あるいは下降する。このとき、円板状部材５は、円環状突部５２がパイプ材１００の先端部に嵌合しているから、筒状部材４の回動にともなうネジ桿２の回動にともなって回動することはない。
【００２５】
すでに記載したように、筒状部材４は筒部の内径が円板状部材５の外径より大きく、円板状部材５の外径はパイプ材１００の外径と同じであるから、筒状部材４の筒部と円板状部材５が取り付けられたパイプ材１００の端部とは緩嵌合の状態にすることができる。
このように両者が緩嵌合しているから、筒状部材４を回動させると、それにともなってネジ桿２が回動し、円板状部材５が取り付けられたパイプ材１００の先端部およびそれに続く端部とは、筒状部材４の筒部内面をガイドとして、滑らかに上昇あるいは下降することができる。
【００２６】
筒状部材４の筒部に円板状部材５および円板状部材５が取り付けられたパイプ材１００の端部がきつく嵌合すると、筒状部材４を回動しても、円板状部材５とパイプ材１００が回動して、ネジ桿２を上昇あるいは下降させることができなくなる。
緩嵌合にするには、筒状部材４は筒部の内径が円板状部材５の外径より大きく、かつ筒状部材４の筒部の内径と円板状部材５の外径との差を２ｍｍ前後程度にすることが望ましい。
【００２７】
上述したように、筒状部材４の筒部内面はガイドの働きをするものであるから、筒状部材４の筒部と円板状部材５が取り付けられたパイプ材の端部との重なりは、ネジ桿２の上昇、下降によって変化するが、無くならないように維持することが望ましい。
【００２８】
図１に示される状態から、筒状部材４を一方向に回転させてネジ桿２を下向きに移動させると、やがて筒状部材４の底部の内面が円板状部材５の上面（この場合はナット５１の上面）と接することで、ネジ桿２の下降、したがって当接部材３の下降は停止する。このときの状態、すなわち当接部材３が最も下の位置に移動した状態が図２に示されている。図２では、筒状部材４の底部の内面が円板状部材５のナット５１の上面に接している。
【００２９】
図２に示される状態から、筒状部材４を前述の方向とは反対の方向に回転させて、ネジ桿２を上向きに移動させると、それにともなって、筒状部材４と当接部材３が上昇し、当接部材３が天井２００に接することになる。このときの状態が図１に示されている。そして、さらに同方向に筒状部材４を回転させて、当接部材３が天井２００を押圧する状態に至ったときに筒状部材４の回転を止める。こうすることにより、長さ調節部品１が取り付けられたパイプ材１００を天井２００と床３００の間に堅固に支持して立設することができる。
【００３０】
図２の状態から、筒状部材４を回転させて、ネジ桿２を上昇させると、図２においてネジ桿２の円板状部材５の下面から下に飛び出している長さ分程度は、当接部材３を上昇させることができる。このとき、ネジ桿２の下端の底面が円板状部材５の底面と同じレベルになっている。
【００３１】
以上のとおり、第１の実施形態の長さ調節部品１を取り付けられたパイプ材１００を天井２００と床３００の間に設置して、筒状部材４を回転させて、ネジ桿２とともに当接部材３を上昇させて、当接部材３が天井２００を押圧する状態にすることで、天井２００と床３００の間に、長さ調節部品１を取り付けたパイプ材１００を堅固に立設することができる。
また、立設された長さ調節部品１を取り付けたパイプ材１００は、筒状部材４を上記回転の方向とは逆方向に回転させて、ネジ桿２を当接部材３とともに降下させることにより、天井２００と床３００の間から容易に取り外すことができる。
【００３２】
第１実施形態の長さ調節部品１は、円環状突部５２を介して、パイプ材１００の先端部に嵌合している状態であるから、パイプ材１００から長さ調節部品１を取り外すことは、両者を引っ張ることにより、容易に行うことができる。したがって、長さ調節部品１は繰り返し使用することができる。
【００３３】
次に、上述の第１の実施形態とは異なる第２の実施形態を図３、図４に基づいて説明する。
第２の実施形態の長さ調節部品１は、ネジ桿２、当接部材３、第１の有底の筒状部材４および第２の有底の筒状部材５で構成される。第２の有底の筒状部材５は、後述するように、パイプ材１００の先端部に被せて使用されるものである。なお、以下において、第１の有底の筒状部材、第２の有底の筒状部材をそれぞれ、単に「第１の筒状部材」、「第２の筒状部材」ということにする。
【００３４】
第２の実施形態のネジ桿２、当接部材３、第１の筒状部材４は、第１の実施形態のネジ桿２、当接部材３、筒状部材４とそれぞれ同じ働きをするものであり、第２の実施形態のこれらの部品およびこれらの部品の配置等については、第１の実施形態で説明したことと同じことがいえるので、説明を省略する。
【００３５】
第２の筒状部材５は、底部を有しており、形状がコップ状である。そして、筒部の内径がパイプ材１００の外径よりも大きく、パイプ材１００の先端部に、第２の筒状部材５の底部の中心とパイプ材１００の断面中心とが重なるように被せて使用されるものである。
第２の筒状部材５は、外径が第１の筒状部材の内径よりも小さい。
したがって、第１の筒状部材４の筒部と第２の筒状部材の筒部とは緩嵌合しているから、第２の筒状部材５は第１の筒状部材４の筒部内に進入することができる。
【００３６】
第２の筒状部材５の底部の中心部には、ネジ桿２の雄ネジ溝と螺合する雌ネジ溝が形成された貫通孔が設けられている。
雌ネジ溝の形成は、第２の筒状部材５の底部の中心部に直接形成することもできるが、ナット５１を利用することができる。
図３、図４には、有底の筒状部材の中心部に貫通孔を有する底部にナット５１を溶接などで接合して製作された第２の筒状部材５が示されている。この場合、ナット５１に雌ネジ溝が形成されているから、ナット５１の下の貫通孔には雌ネジ溝を必ずしも形成する必要はない。ナット５１を利用すると、第２の筒状部材５の底部の中心部に容易に雌ネジ溝を形成することができる。
【００３７】
図３、図４から分かるように、当接部材３を上にしたときに、第２の筒状部材５は、第１の筒状部材４が固定されているネジ桿２の位置よりも下の位置に筒部の開口側が下になるように配置される。そして、ネジ桿２の雄ネジ溝に第２の筒状部材５の底部に形成された貫通孔の雌ネジ溝に螺合して、ネジ桿２の回動（すなわち第１の筒状部材の回動）にしたがって、第２の筒状部材５は、第１の筒状部材４の筒内を上昇あるいは下降することができる。このとき、第１の筒状部材４の筒部と第２の筒状部材の筒部とは緩嵌合しているから、第２の筒状部材５は、第１の筒状部材４の筒部内面をガイドとして、滑らかに上昇あるいは下降することができる。
緩嵌合にするには、第１の筒状部材４は筒部の内径が第２の筒状部材５の外径より大きく、かつ前者の第１の筒状部材４の筒部の内径と後者の第２の筒状部材５の外径との差を２ｍｍ前後程度にすることが望ましい。
【００３８】
第１の筒状部材４の筒部と第２の筒状部材５の筒部とは緩嵌合しているから、第２の筒状部材５の筒部を回転しないように固定した場合、第１の筒状部材４を回転させると、ネジ桿２が回転して、第２の筒状部材５は、第１の筒状部材４の筒部内面をガイドとして、滑らかに上昇あるいは下降することができる。
このように、第１の筒状部材４の筒部内面はガイドの働きをするものであるから、第１の筒状部材４の筒部と第２の筒状部材５の筒部との重なりは、ネジ桿２の上昇、下降によって変化するが、無くならないように維持することが望ましい。
【００３９】
第２の筒状部材５は、すでに記載したように、筒部の内径がパイプ材１００の外径よりも大きい。したがって、第２の筒状部材５とパイプ材１００の軸中心が重なるように、パイプ材１００の先端部に被せて、第２の筒状部材５の底部の内面をパイプ材１００の上端に近接又は接触させると、第２の筒状部材の筒部とパイプ材１００の先端部を含む端部とは緩嵌合した状態にある。
緩嵌合にするには、第２の筒状部材５の内径がパイプ材１００の外径よりも大きく、かつ前者の第２の筒状部材４の筒部の内径と後者のパイプ材１００の外径との差を２ｍｍ前後程度にすることが望ましい。
【００４０】
第２の実施形態の長さ調節部品１は、すでに記載したように、第２の筒状部材５をパイプ材１００の先端部に被せて使用する。第２の筒状部材５とパイプ材１００とは緩嵌合しているから、パイプ材１００を床３００に立設、支持して固定したとしても、第２の筒状部材５は、パイプ材１００の軸心周りに回動可能である。第１の筒状部材４を回転させて、それにともなってネジ桿２が回転しても、ネジ桿２の回転に合わせて第２の筒状部材５が回転すると、ネジ桿２を上昇あるいは下降させることができない。
【００４１】
したがって、第２の実施形態の長さ調節部品１を使用して、天井２００と床３００との間に、パイプ材１００の先端部に取り付けられた長さ調節部品１の当接部材３を上昇あるいは下降させるには、パイプ材１００と第２の筒状部材５とをともに拘束して床３００上に立設して固定した状態で、第１の筒状部材４を回動しなければならない。
【００４２】
図３に示される状態から、パイプ材１００と第２の筒状部材５とをともに拘束して床３００上に立設して固定した状態で、第１の筒状部材４を一方向に回転させてネジ桿２を下向きに移動させると、やがて第１の筒状部材４の底部の内面が第２の筒状部材５の上面（この場合はナット５１の上面）と接することで、ネジ桿２の下降、したがって当接部材３の下降は停止する。このときの状態、すなわち当接部材３が最も下の位置に移動した状態が図４に示されている。図４では、第１の筒状部材４の底部の内面が第２の筒状部材５のナット５１の上面に接している。
また、パイプ材１００と第２の筒状部材５とをともに拘束して床３００上に立設して固定した状態で、第１の筒状部材４を前述の方向とは反対の方向に回転させて、ネジ桿２を上昇させると、それにともなって当接部材３が上昇し、当接部材３が天井２００に接することになる。このときの状態が図３に示されている。そして、さらに同方向に第１の筒状部材４を回転させて、当接部材３が天井２００を押圧する状態に至ったときに第１の筒状部材４の回転を止める。こうすることにより、長さ調節部品１が取り付けられたパイプ材１００を天井２００と床３００の間に堅固に立設することができる。
【００４３】
第２の実施形態において、第２の筒状部材５の底面の内面側の面（開口側の面）に、第１の実施形態と同様の、パイプ材１００の先端部に嵌合する円環状突部を形成することもできる。この場合、第１の筒状部材４の回動にともなって第２の筒状部材５が回動することはないから、ネジ桿２を上昇あるいは下降させるときにパイプ材１００と第２の筒状部材５とをともに拘束する必要はない。
【００４４】
第２の実施形態の長さ調節部品１では、第２の筒状部材５をパイプ材１００の先端部に被せるだけであり、長さ調節部品１をパイプ材１００から取り外すことも容易に行える。
また、天井２００と床３００との間に立設された長さ調節部品１付きパイプ材１００を取り外した後は、パイプ材１００の先端部から取り外した長さ調節部品１を再度使用することができる。
【００４５】
以上の説明では、第１及び第２の実施形態のいずれにおいても、長さ調節部品１付きのパイプ材１００は天井２００と床３００の間に立設しているが、長さ調節部品１付きのパイプ材１００を天井２００と家具の上面との間に立設して、家具の転倒を防ぐために使用することができる。あるいは、壁と壁との間に、長さ調節部品１付きのパイプ材１００を横架することも可能である。このような長さ調節部品付きのパイプ材を２本横架して棚を形成することもできる。
【００４６】
また、図８に示すように、空間を形成する骨組み構造体４００に透光性の樹脂膜を覆ったサンルームを屋外のテラス等に設置する場合に、骨組み構造体４００の複数の支柱に第１あるいは第２の実施形態の長さ調節部品１が取り付けられたパイプ材１００を使用して、建屋の天井（庇）とテラスの床の間に立設することにより、屋外のテラスにサンルームなどの設備を堅固に取り付けることができる。また、そのようにしてテラスに取り付けたサンルームなどの設備は、長さ調節部品１の当接部材２を下降させて天井（庇）から離すことにより、容易にテラスから取り除くこともできる。同様にして、屋内の天井と床の間に骨組み構造体４００を堅固に取り付けることができる。
【符号の説明】
【００４７】
１  ：長さ調節部品
２  ：ネジ桿
３  ：当接部材
３１：基板
３２：緩衝部材
４  ：有底の筒状部材、第１の有底の筒状部材
５  ：円板状部材、第２の有底の筒状部材
５１：円板状部材のナット、第２の有底の筒状部材のナット
５２：円環状突部
６  ：支柱
７  ：家具（たんす、本棚、食器棚、ロッカーなど）
８  ：（従来例の）ネジ桿
８１：（従来例の）当接部材
８２：（従来例のネジ桿に設けられた）ナット状部
１００：パイプ材
２００：天井、庇
３００：床
４００：骨組み構造体
【図１】
2020084537.tif 000003
【図２】
2020084537.tif 000004
【図３】
2020084537.tif 000005
【図４】
2020084537.tif 000006
【図５】
2020084537.tif 000007
【図６】
2020084537.tif 000008
【図７】
2020084537.tif 000009
【図８】
2020084537.tif 000010
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
当接部材を先端部に備え雄ネジ溝が形成されたネジ桿と、底部の中心部をネジ桿が貫通してネジ桿に固定された有底の筒状部材と、中心部に雌ネジ溝が形成された孔を有する円板状部材とからなり、該円板状部材がパイプ材の先端部に配置される長さ調整部品であって、
当接部材は、ネジ桿の回動とは切り離されており、
円板状部材の外径は、パイプ材の外径と等しく、かつ有底の筒状部材の筒部の内径より小さく、円板状部材の裏面にはパイプ材の先端部に嵌合する円環状突部が形成され、
円環状突部は、中心孔がネジ桿を挿通することができ、かつネジ桿の回動を妨げない径を有し、
円板状部材の雌ネジ溝が形成された孔にはネジ桿が螺合して挿入され、当接部材を上にしたときに、有底の筒状部材は、その開口側が下向きになるように、当接部材の下に配置されるとともに、円板状部材は、有底の筒状部材の固定位置より下に配置され、有底の筒状部材の回動にともなうネジ桿の回動により当接部材が上昇あるいは下降することを特徴とする長さ調整部品。
【請求項２】
当接部材を先端部に備え雄ネジ溝が形成されたネジ桿と、底部の中心部をネジ桿が貫通してネジ桿に固定された第１の有底の筒状部材と、底部の中心部に雌ネジ溝が形成された孔を有する第２の有底の筒状部材とからなり、該第２の有底の筒状部材がパイプ材の先端部に被せられる長さ調節部品であって、
当接部材は、ネジ桿の回動とは切り離されており、
第２の有底の筒状部材は、筒部の内径がパイプ材の外径より大きく、かつ筒部の外径が第１の有底の筒状部材の筒部の内径より小さく、
第２の有底の筒状部材の雌ネジ溝が形成された孔にはネジ桿が螺合して挿入され、当接部材を上にしたときに、第１の有底の筒状部材は、その開口側が下向きになるように、当接部材の下に配置されるとともに、第２の有底の筒状部材は、その開口側が下向きになるように、第１の有底の筒状部材の固定位置より下に配置され、第１の有底の筒状部材の回動にともなうネジ桿の回動により当接部材が上昇あるいは下降することを特徴とする長さ調整部品。
【請求項３】
前記円板状部材の中心部に形成された孔の雌ネジ溝がナットの雌ネジ溝であることを特徴とする請求項１に記載の長さ調整部品。
【請求項４】
前記第２の有底の筒状部材の中心部に形成された孔の雌ネジ溝がナットの雌ネジ溝であることを特徴とする請求項２に記載の長さ調整部品。
【手続補正２】
【補正対象書類名】明細書
【補正対象項目名】０００８
【補正方法】変更
【補正の内容】
【０００８】
上記の課題を解決するために、本発明は以下の手段を採用する。
［１］当接部材を先端部に備え雄ネジ溝が形成されたネジ桿と、底部の中心部をネジ桿が貫通してネジ桿に固定された有底の筒状部材と、中心部に雌ネジ溝が形成された孔を有する円板状部材とからなり、該円板状部材がパイプ材の先端部に配置される長さ調整部品であって、  当接部材は、ネジ桿の回動とは切り離されており、円板状部材の外径は、パイプ材の外径と等しく、かつ有底の筒状部材の筒部の内径より小さく、円板状部材の裏面にはパイプ材の先端部に嵌合する円環状突部が形成され、円環状突部は、中心孔がネジ桿を挿通することができ、かつネジ桿の回動を妨げない径を有し、円板状部材の雌ネジ溝が形成された孔にはネジ桿が螺合して挿入され、当接部材を上にしたときに、有底の筒状部材は、その開口側が下向きになるように、当接部材の下に配置されるとともに、円板状部材は、有底の筒状部材の固定位置より下に配置され、有底の筒状部材の回動にともなうネジ桿の回動により当接部材が上昇あるいは下降することを特徴とする長さ調整部品。
［２］当接部材を先端部に備え雄ネジ溝が形成されたネジ桿と、底部の中心部をネジ桿が貫通してネジ桿に固定された第１の有底の筒状部材と、底部の中心部に雌ネジ溝が形成された孔を有する第２の有底の筒状部材とからなり、該第２の有底の筒状部材がパイプ材の先端部に被せられる長さ調節部品であって、当接部材は、ネジ桿の回動とは切り離されており、第２の有底の筒状部材は、筒部の内径がパイプ材の外径より大きく、かつ筒部の外径が第１の有底の筒状部材の筒部の内径より小さく、第２の有底の筒状部材の雌ネジ溝が形成された孔にはネジ桿が螺合して挿入され、当接部材を上にしたときに、第１の有底の筒状部材は、その開口側が下向きになるように、当接部材の下に配置されるとともに、第２の有底の筒状部材は、その開口側が下向きになるように、第１の有底の筒状部材の固定位置より下に配置され、第１の有底の筒状部材の回動にともなうネジ桿の回動により当接部材が上昇あるいは下降することを特徴とする長さ調整部品。
［３］前記円板状部材の中心部に形成された孔の雌ネジ溝がナットの雌ネジ溝であることを特徴とする［１］に記載の長さ調整部品。
［４］前記第２の有底の筒状部材の中心部に形成された孔の雌ネジ溝がナットの雌ネジ溝であることを特徴とする［２］に記載の長さ調整部品。